(57)【要約】【課題】装飾品が脱落するおそれがなく、装飾品を自由に取り替えることのできる装飾具用基台及び装飾具を提供する。【解決手段】装飾具用基台１８は、装飾品１６が固定され、磁石１４に係合する係合部２０を有し、被装着物に着脱自在に装着される取付具１２に固定された前記磁石１４に吸着される。この場合、磁石１４は、装飾具用基台１８に形成されている４つの係合部２０により、装飾具用基台１８に対するずれが最小限に抑制される。従って、使用者は、例えば、取付具１２を頭髪に装着して使用しているとき、装飾品１６は、振動や外力が加わったとしても取付具１２から脱落してしまうおそれがない。【選択図】図１
2019025213.tif 000002
【特許請求の範囲】
【請求項１】
装飾品が固定され、磁石に係合する係合部を有し、被装着物に着脱自在に装着される取付具に固定された前記磁石に吸着されることを特徴とする装飾具用基台。
【請求項２】
被装着物に着脱自在に装着される取付具に固定され、磁石に係合する係合部を有し、装飾品が固定された前記磁石に吸着されることを特徴とする装飾具用基台。
【請求項３】
請求項１又は２に記載の装飾具用基台において、
前記磁石と前記係合部との間には、前記磁石の幅に対して０．７〜２％のクリアランスが設定されることを特徴とする装飾具用基台。
【請求項４】
請求項１〜３のいずれか１項に記載の装飾具用基台において、
３〜６個の前記係合部を有することを特徴とする装飾具用基台。
【請求項５】
請求項１〜４のいずれか１項に記載の装飾具用基台において、
前記磁石は、５〜２０ｍｍの幅を有することを特徴とする装飾具用基台。
【請求項６】
請求項１〜５のいずれか１項に記載の装飾具用基台において、
前記取付具は、ヘアクリップ、ゴムバンド、ピン、クリップ、チェーン、カチューシャ、ストラップ又はネクタイピンであることを特徴とする装飾具用基台。
【請求項７】
請求項１〜６のいずれか１項に記載の装飾具用基台において、
前記装飾品は、リボン、ブローチ、ペンダント、コサージュ、カメオ、ロゼット、ブレスレット、宝飾品又は花であることを特徴とする装飾具用基台。
【請求項８】
被装着物に着脱自在に装着される取付具と、
前記取付具に固定される磁石と、
装飾品が固定され、前記磁石に係合する係合部を有し、前記磁石に吸着される装飾具用基台と、
を備えることを特徴とする装飾具。
【発明の詳細な説明】
【技術分野】
【０００１】
本発明は、装飾品を取り替え可能な装飾具用基台及び装飾具に関する。
【背景技術】
【０００２】
装飾具は、例えば、リボン、花、宝飾品等の装飾品を装飾品の使用者の頭部や手首等の身体の一部に装着し、又は、バッグや携帯電話等の所持品に装着することで、使用者は、審美的な感覚を楽しむことができる。この場合、装飾品は、ヘアクリップ、ピン、ストラップ等の取付具を用いて身体等に取り付けられる。
【０００３】
ところで、装飾品と取付具とは、通常、一体に構成されている。そのため、装飾品を取り替えたい場合、使用者は、所望の装飾品を有した装飾具を新たに購入しなければならない。従って、経済上、無駄が生じる。
【０００４】
そこで、使用者が装飾品を自由に取り替えることができるようにした装飾具が提案されている（特許文献１参照）。この装飾具は、装飾品と取付具とがスナップにより結合されているため、装飾品を使用者の欲するものに自由に取り替えることができる。
【先行技術文献】
【特許文献】
【０００５】
【特許文献１】特開２００６−２２３８０５号公報
【発明の概要】
【発明が解決しようとする課題】
【０００６】
しかしながら、上記の装飾具は、装飾品と取付具とがスナップで結合されているだけであるため、例えば、使用中に振動や外力が加わると、装飾品が脱落してしまうおそれがある。
【０００７】
本発明は、前記の不具合を解消するためになされたものであって、装飾品が脱落するおそれがなく、装飾品を自由に取り替えることのできる装飾具用基台及び装飾具を提供することを目的とする。
【課題を解決するための手段】
【０００８】
本発明に係る装飾具用基台は、装飾品が固定され、磁石に係合する係合部を有し、被装着物に着脱自在に装着される取付具に固定された前記磁石に吸着されることを特徴とする。
【０００９】
本発明に係る装飾具用基台は、被装着物に着脱自在に装着される取付具に固定され、磁石に係合する係合部を有し、装飾品が固定された前記磁石に吸着されることを特徴とする。
【００１０】
前記装飾具用基台において、前記磁石と前記係合部との間には、前記磁石の幅に対して０．７〜２％のクリアランスが設定されることを特徴とする。
【００１１】
前記装飾具用基台において、３〜６個の前記係合部を有することを特徴とする。
【００１２】
前記装飾具用基台において、前記磁石は、５〜２０ｍｍの幅を有することを特徴とする。
【００１３】
前記装飾具用基台において、前記取付具は、ヘアクリップ、ゴムバンド、ピン、クリップ、チェーン、カチューシャ、ストラップ又はネクタイピンであることを特徴とする。
【００１４】
前記装飾具用基台において、前記装飾品は、リボン、ブローチ、ペンダント、コサージュ、カメオ、ロゼット、ブレスレット、宝飾品又は花であることを特徴とする。
【００１５】
さらに、本発明に係る装飾具は、被装着物に着脱自在に装着される取付具と、前記取付具に固定される磁石と、装飾品が固定され、前記磁石に係合する係合部を有し、前記磁石に吸着される基台と、を備えることを特徴とする。
【発明の効果】
【００１６】
本発明の装飾具用基台及び装飾具では、装飾品又は取付具の一方に磁石を固定し、他方に係合部を有する基台を固定し、基台を磁石に吸着させ、係合部に磁石を係合させることにより、装飾品が取付具にしっかりと固定される。従って、装飾品は、使用中の振動等によって脱落するおそれがない。また、装飾品は、取付具から容易に離脱させて取り替えることができるため、使用者は所望の装飾品を楽しむことができ、且つ、経済的である。
【図面の簡単な説明】
【００１７】
【図１】本実施形態の装飾具の側面構成図である。
【図２】本実施形態の装飾具の分解斜視図である。
【図３】図３Ａは、本実施形態の装飾具用基台の平面図、図３Ｂは、装飾具用基台の側面図である。
【図４】図４Ａ〜図４Ｅは、磁石が固定された取付具の他の実施形態の説明図である。
【発明を実施するための形態】
【００１８】
以下、本発明の実施形態について図面を参照して説明する。図１は、本実施形態の装飾具１０の側面構成図である。また、図２は、本実施形態の装飾具１０の分解斜視図である。
【００１９】
装飾具１０は、被装着物に着脱自在に装着される取付具１２と、取付具１２に固定される磁石１４と、リボンである装飾品１６が固定され、磁石１４に吸着される装飾具用基台１８とを備える。この場合、被装着物は、例えば、装飾品１６の使用者の頭髪、手首、首等の一部、衣服、鞄、帽子、携帯電話等である。
【００２０】
取付具１２は、例えば、長尺な基板２２を有するヘアクリップである。基板２２の一端部には、ブラケット２４が形成され、このブラケット２４に第１弾性板２６の一端部が回転自在に係合する。また、基板２２の他端部には、係止部２８が形成され、この係止部２８に第１弾性板２６の他端部が着脱可能な状態で係止される。さらに、基板２２と第１弾性板２６との間には、湾曲した第２弾性板３０が配設される。第２弾性板３０の一端部は、ブラケット２４側に保持される。第２弾性板３０の他端部は、係止部２８側に保持される。使用者は、取付具１２を、例えば、第１弾性板２６と第２弾性板３０との間に頭髪の一部を挟持し、第１弾性板２６の他端部を係止部２８に係止することにより、取付具１２を頭部に装着することができる。
【００２１】
磁石１４は、円形形状を呈し、取付具１２の基板２２に接着剤等を用いて固定される。また、磁石１４の幅ｄ（直径ｄ）は、５〜２０ｍｍの範囲に設定され、好ましくは、略１０ｍｍに設定される。
【００２２】
装飾具用基台１８は、磁石１４に吸着される金属からなる板状の部材である。装飾具用基台１８は、中央部分に対して略直角に折曲された４つの係合部２０を有する。各係合部２０は、先端部が面取りされた形状に形成される。係合部２０は、磁石１４の外周部に係合する。また、隣接する係合部２０の間には、装飾具用基台１８を装飾品１６に縫い付けて固定するための４つの孔部３２が形成される。なお、装飾具用基台１８は、磁石１４と同様に、装飾品１６に接着剤等を用いて固定されてもよい。接着剤等を用いて装飾具用基台１８を装飾品１６に固定する場合には、孔部３２は不要である。
【００２３】
磁石１４の外周部と係合部２０との間には、装飾具用基台１８に磁石１４が係合した状態で所定のクリアランスｅ（図３Ｂ参照）が設定される。このクリアランスｅは、磁石１４の幅ｄ（磁石１４が円形の場合には直径ｄ）に対して０．７〜２％の範囲で設定され、好ましくは、略１％に設定される。
【００２４】
以上のように構成される装飾具１０において、装飾品１６は、取付具１２に固定された磁石１４に装飾具用基台１８が吸着されて装着される。この場合、磁石１４は、装飾具用基台１８に形成されている４つの係合部２０により、装飾具用基台１８に対するずれが最小限に抑制される。従って、使用者は、例えば、取付具１２を頭髪に装着して使用しているとき、装飾品１６は、振動や外力が加わったとしても取付具１２から脱落してしまうおそれがない。また、使用者は、装飾品１６を取付具１２から容易に取り外すことができる。従って、使用者は、装飾品１６を他のデザインのものに取り替えて楽しむことができる。また、取り替える部分は、装飾品１６だけでよいため、経済的である。
【００２５】
図４Ａ〜図４Ｅは、磁石１４が固定された取付具１２の他の実施形態の説明図である。なお、磁石１４には、例えば、図１に示した装飾品１６が装飾具用基台１８を介して装着される。
【００２６】
図４Ａに示す取付具１２ａは、リング状のゴムバンドである。取付具１２ａには、基板２２ａを介して磁石１４が固定される。取付具１２ａは、例えば、使用者の頭髪、手首に取り付けられる。
【００２７】
図４Ｂに示す取付具１２ｂは、ピンである。取付具１２ｂには、基板２２ｂを介して磁石１４が固定される。取付具１２ｂは、例えば、使用者の衣服に取り付けられる。
【００２８】
図４Ｃに示す取付具１２ｃは、クリップである。取付具１２ｃには、磁石１４が固定される。取付具１２ｃは、例えば、使用者の頭髪に取り付けられる。
【００２９】
図４Ｄに示す取付具１２ｄは、チェーンである。取付具１２ｄには、磁石１４が固定される。取付具１２ｄは、例えば、使用者の鞄、携帯電話、手首に取り付けられる。
【００３０】
図４Ｅに示す取付具１２ｅは、カチューシャである。取付具１２ｅには、磁石１４が固定される。取付具１２ｅは、例えば、使用者の頭髪に取り付けられる。
【００３１】
なお、本発明は、上述した実施形態に限定されるものではなく、本発明の主旨を逸脱しない範囲で変更することが可能である。
【００３２】
例えば、上述した実施形態では、取付具１２、１２ａ〜１２ｅは、ヘアクリップ、ゴムバンド、ピン、クリップ、チェーン、カチューシャであったが、これに限定されるものではない。取付具１２としては、ストラップやネクタイピンであってもよい。
【００３３】
また、磁石１４の形状は、円形であったが、装飾具用基台１８を吸着できれば、この形状に限定されるものでない。磁石１４の形状は、例えば、多角形、楕円形等であってもよい。
【００３４】
さらに、装飾品１６がリボンであるが、これに限定されるものではない。装飾品１６として、例えば、ブローチ、ペンダント、コサージュ、カメオ、ロゼット、ブレスレット、宝飾品、花であってもよい。
【００３５】
また、装飾具用基台１８には、４つの係合部２０が設けられているが、装飾具用基台１８に対して磁石１４が振動等によってずれることなく保持できれば、その数はこれに限定されるものではない。係合部２０の数は、例えば、３〜６個の範囲で設定することができる。
【００３６】
さらに、装飾具用基台１８には、４つの孔部３２が設けられているが、装飾具用基台１８を装飾品１６に固定できれば、その数はこれに限定されるものではない。孔部３２の数は、例えば、２個以上の範囲で設定することができる。
【００３７】
また、上述した実施形態では、取付具１２に磁石１４が固定され、装飾品１６に装飾具用基台１８が固定されていたが、取付具１２に装飾具用基台１８が固定され、装飾品１６に磁石１４が固定されてもよい。
【符号の説明】
【００３８】
１０…装飾具
１２、１２ａ〜１２ｅ…取付具
１４…磁石
１６…装飾品
１８…装飾具用基台
２０…係合部
２２、２２ａ、２２ｂ…基板
２４…ブラケット
２６…第１弾性板
２８…係止部
３０…第２弾性板
３２…孔部
【図１】
2019025213.tif 000003
【図２】
2019025213.tif 000004
【図３】
2019025213.tif 000005
【図４】
2019025213.tif 000006